(57)【要約】      （修正有）【課題】発光ダイオードに通電する時に発生する熱が導熱液体によりヒートシンクに伝導され、ヒートシンクにより熱が空気中に拡散する発光ダイオードランプ用放熱装置の提供。【解決手段】この放熱装置はヒートシンクを具え、該ヒートシンクはランプハウスを具え、ランプハウスの一端は透明レンズで密封され、別の一端は発光ダイオードランプに接合される。ヒートシンクは並びに密閉されたチャンバを具え、チャンバ内に導熱液体が充填され、この導熱液体がヒートシンクの放熱効果を強化し、ヒートシンクが熱を空気中に伝導する。【選択図】図２
0003112794.tif 000002
【実用新案登録請求の範囲】
【請求項１】
発光ダイオードランプ用放熱装置において、
ヒートシンクであって、該ヒートシンクはランプハウスを具え、該ランプハウスがヒートシンクの両端にあって第１開口と第２開口を具え、該ヒートシンクが導熱材料で形成されて放熱し、該ヒートシンクが密閉されたチャンバを具えた、上記ヒートシンクと、
該第１開口を密封する透明レンズと、
該チャンバ内に充填されて熱を該ヒートシンクに伝導する導熱液体と、
を包含することを特徴とする、発光ダイオードランプ用放熱装置。
【請求項２】
請求項１記載の発光ダイオードランプ用放熱装置において、発光モジュールを更に包含し、該発光モジュールは第２開口を密封することを特徴とする、発光ダイオードランプ用放熱装置。
【請求項３】
請求項２記載の発光ダイオードランプ用放熱装置において、発光モジュール少なくとも一つの発光ダイオードを包含し、該発光ダイオード該発光モジュールのランプハウスに向いた表面に配置されたことを特徴とする、発光ダイオードランプ用放熱装置。
【請求項４】
請求項３記載の発光ダイオードランプ用放熱装置において、発光ダイオードの上を被覆する導光材料を更に包含したことを特徴とする、発光ダイオードランプ用放熱装置。
【請求項５】
請求項４記載の発光ダイオードランプ用放熱装置において、導光材料が不透明とされたことを特徴とする、発光ダイオードランプ用放熱装置。
【請求項６】
請求項３記載の発光ダイオードランプ用放熱装置において、発光モジュールが複数の端子を包含し、該複数の端子が発光モジュールのランプハウスに背向する表面に配置され、該複数の端子が外部電源との接続に用いられ、発光ダイオード該複数の端子により外部電源に接続されて発光することを特徴とする、発光ダイオードランプ用放熱装置。
【請求項７】
請求項１記載の発光ダイオードランプ用放熱装置において、導熱液体が超純水とされたことを特徴とする、発光ダイオードランプ用放熱装置。
【請求項８】
請求項１記載の発光ダイオードランプ用放熱装置において、導熱液体が混合液体とされことを特徴とする、発光ダイオードランプ用放熱装置。
【請求項９】
請求項６記載の発光ダイオードランプ用放熱装置において、口金を具えたケースを更に包含し、該ケースがヒートシンクとの結合に用いられ、該口金が外部電源を提供するランプソケットとの結合に用いられることを特徴とする、発光ダイオードランプ用放熱装置。
【請求項１０】
請求項６記載の発光ダイオードランプ用放熱装置において、複数の外部端子を具えたケースを更に包含し、該ケースがヒートシンクとの結合に用いられ、各外部端子がそのうち一つの端子より延伸されたことを特徴とする、発光ダイオードランプ用放熱装置。
【請求項１１】
請求項１記載の発光ダイオードランプ用放熱装置において、ヒートシンクが複数の放熱フィンを更に包含し、この複数の放熱フィンが放熱装置の周囲に配置され、並びに複数の放熱フィンが導熱材料で形成されてヒートシンクの放熱の表面積を増すことを特徴とする、発光ダイオードランプ用放熱装置。
【考案の詳細な説明】
【技術分野】
【０００１】
本考案は一種の放熱装置に係り、特に発光ダイオードランプ用放熱装置に関する。
【背景技術】
【０００２】
発光ダイオード（ＬＥＤ）は高輝度、節電、寿命が長い、低温等の多くの長所を有し、伝統的な白熱灯バルブが高熱を発し、寿命が短く、電力を消耗するのに対して非常に大きな進歩を有する。例えば発光ダイオードが懐中電灯に応用される時、三つのＡＡＡ電池で三つの発光ダイオードを５０時間以上使用でき、あるメーカーは更に７０時間の保証も打ち出しており、このことからも発光ダイオードの節電効果は卓越していることが分かる。
【０００３】
輝度を高めるためには、通常、数個の発光ダイオードを組み合わせて発光ダイオードランプを構成するが、発光ダイオードは低温の長所を有するものの、数量が多くなると、ランプ内の有限空間中に大量の熱が発生する。このような熱は周囲のその他の部品の老化或いは損壊を形成しやすく、このため好ましい設計により発光時に発生する熱を散逸させられるようにする必要がある。
【考案の開示】
【考案が解決しようとする課題】
【０００４】
上述の背景において、産業上の利益の要求に符合させるため、本考案は一種の発光ダイオードランプ用放熱装置を提供して上述の伝統的な発光ダイオードランプが達成できなかった問題を解決する。
【０００５】
本考案の目的は、一種の発光ダイオードランプ用放熱装置を提供することにあり、それはヒートシンク、透明レンズ及び導熱液体を包含する。ヒートシンクはランプハウスを具え、該ランプハウスはヒートシンクの両端にあって第１開口と第２開口を具え、並びにヒートシンクは導熱材料で形成され、これにより放熱する。このほか、ヒートシンク内にチャンバがあり、導熱液体が該チャンバ内に充填され、これによりヒートシンクへの熱伝導効果が高められる。これにより、発光ダイオードに通電する時に発生する熱が導熱液体によりヒートシンクに伝導され、ヒートシンクにより熱が空気中に拡散する。
【課題を解決するための手段】
【０００６】
請求項１の考案は、発光ダイオードランプ用放熱装置において、
ヒートシンクであって、該ヒートシンクはランプハウスを具え、該ランプハウスがヒートシンクの両端にあって第１開口と第２開口を具え、該ヒートシンクが導熱材料で形成されて放熱し、該ヒートシンクが密閉されたチャンバを具えた、上記ヒートシンクと、
該第１開口を密封する透明レンズと、
該チャンバ内に充填されて熱を該ヒートシンクに伝導する導熱液体と、
を包含することを特徴とする、発光ダイオードランプ用放熱装置としている。
請求項２の考案は、請求項１記載の発光ダイオードランプ用放熱装置において、発光モジュールを更に包含し、該発光モジュールは第２開口を密封することを特徴とする、発光ダイオードランプ用放熱装置としている。
請求項３の考案は、請求項２記載の発光ダイオードランプ用放熱装置において、発光モジュール少なくとも一つの発光ダイオードを包含し、該発光ダイオード該発光モジュールのランプハウスに向いた表面に配置されたことを特徴とする、発光ダイオードランプ用放熱装置としている。
請求項４の考案は、請求項３記載の発光ダイオードランプ用放熱装置において、発光ダイオードの上を被覆する導光材料を更に包含したことを特徴とする、発光ダイオードランプ用放熱装置としている。
請求項５の考案は、請求項４記載の発光ダイオードランプ用放熱装置において、導光材料が不透明とされたことを特徴とする、発光ダイオードランプ用放熱装置としている。
請求項６の考案は、請求項３記載の発光ダイオードランプ用放熱装置において、発光モジュールが複数の端子を包含し、該複数の端子が発光モジュールのランプハウスに背向する表面に配置され、該複数の端子が外部電源との接続に用いられ、発光ダイオード該複数の端子により外部電源に接続されて発光することを特徴とする、発光ダイオードランプ用放熱装置としている。
請求項７の考案は、請求項１記載の発光ダイオードランプ用放熱装置において、導熱液体が超純水とされたことを特徴とする、発光ダイオードランプ用放熱装置としている。
請求項８の考案は、請求項１記載の発光ダイオードランプ用放熱装置において、導熱液体が混合液体とされことを特徴とする、発光ダイオードランプ用放熱装置としている。
請求項９の考案は、請求項６記載の発光ダイオードランプ用放熱装置において、口金を具えたケースを更に包含し、該ケースがヒートシンクとの結合に用いられ、該口金が外部電源を提供するランプソケットとの結合に用いられることを特徴とする、発光ダイオードランプ用放熱装置としている。
請求項１０の考案は、請求項６記載の発光ダイオードランプ用放熱装置において、複数の外部端子を具えたケースを更に包含し、該ケースがヒートシンクとの結合に用いられ、各外部端子がそのうち一つの端子より延伸されたことを特徴とする、発光ダイオードランプ用放熱装置としている。
請求項１１の考案は、請求項１記載の発光ダイオードランプ用放熱装置において、ヒートシンクが複数の放熱フィンを更に包含し、この複数の放熱フィンが放熱装置の周囲に配置され、並びに複数の放熱フィンが導熱材料で形成されてヒートシンクの放熱の表面積を増すことを特徴とする、発光ダイオードランプ用放熱装置としている。
【考案の効果】
【０００７】
本考案は、一種の発光ダイオードランプ用放熱装置を提供し、それはヒートシンク、透明レンズ及び導熱液体を包含する。ヒートシンクはランプハウスを具え、該ランプハウスはヒートシンクの両端にあって第１開口と第２開口を具え、並びにヒートシンクは導熱材料で形成され、これにより放熱する。このほか、ヒートシンク内にチャンバがあり、導熱液体が該チャンバ内に充填され、これによりヒートシンクへの熱伝導効果が高められる。これにより、発光ダイオードに通電する時に発生する熱が導熱液体によりヒートシンクに伝導され、ヒートシンクにより熱が空気中に拡散する。
【考案を実施するための最良の形態】
【０００８】
図１〜図４は本考案の発光ダイオードランプ用放熱装置の構造を示す。本考案の発光ダイオードランプ用放熱装置はヒートシンク１１０、透明レンズ１２０及び発光モジュール１３０を包含する。ヒートシンク１１０は導熱材料で形成され、これにより放熱し、並びにその周囲に突出する複数の放熱フィン１１２を具え、これにより放熱の表面積が増されている。このほか、ヒートシンク１１０はランプハウス１２２を具え、ランプハウス１２２はヒートシンク１１０の両端にあって第１開口と第２開口を具えている。このほか、透明レンズ１２０は第１開口を密封するのに用いられ、発光モジュール１３０は第２開口を密封するのに用いられる。このほか、ヒートシンク１１０内にさらに密封されたチャンバ１１８が包含され、導熱液体が密封されたチャンバ１１８内に充填され、これによりヒートシンク１１０の放熱機能が強化されている。このチャンバ１１８は環状にランプハウス１２２を包囲し、熱エネルギーを平均して且つ急速に各放熱フィン１１２に伝導する。本実施例の好ましい凡例によると、上述の導熱液体は超純水、或いはその他の高い熱伝導係数を有する単一液体或いは混合液体とされる。
【０００９】
上述の発光モジュール１３０は少なくとも一つの発光ダイオードを包含し、発光ダイオードは発光モジュール１３０のランプハウス１２２に向いた表面に配置され、発光ダイオードの上が導光材料１３２で被覆され、そのうち導光材料１３２は透明或いは不透明とされうる。このほか、発光モジュール１３０は複数の端子１３４を包含し、これら端子１３４は外部電源に電気的に接続され、上述の発光ダイオードは端子１３４を利用して外部電源と接続されることにより発光する。上述の外部電源は交流或いは直流電源とされ、該外部電源は発光モジュール１３０の種類により選択される。
【００１０】
このほか、図２と図３に示されるように、ヒートシンク１１０の後端がケース１６０に接続され、このケース１６０は口金１６２を具え、このケース１６０はヒートシンク１１０との結合に用いられ、該口金１６２は外部電源を提供するランプソケットに螺合、接続される。この口金１６２の規格はＥ２７、Ｅ３９等とされる。本考案はケース１６０とヒートシンク１１０の結合方式と規格を制限せず、例えばヒートシンク１１０の放熱フィン１１２の上方角部にノッチ１１３が設けられて、該ノッチ１１３によりケース１６０と緊合するものとされうる。
【００１１】
このほか、本実施例は更に交流直流変換モジュール１５０を包含し、外部電源の交流電力を直流電力に変換して直流電力を出力して端子１３４と電気的に接続される。
【００１２】
更に本実施例のケースは図４に示されるものとすることができ、本考案はケース１７０とヒートシンク１１０の結合方式を制限せず、ケース１７０は複数の外部端子１７２を具え、各外部端子１７２はそれぞれそのうち一つの端子１３４より延伸されている。
【００１３】
これにより、発光ダイオードに通電する時、その発生する熱が導熱液体によりヒートシンクの放熱フィンに急速に伝導され、ヒートシンクの放熱フィンにより熱が空気中に拡散する。このほか、本考案の発光モジュールはまたその他の発光装置を採用して発光するものとされ得て、発光ダイオードに限定されるものではなく、例えば伝統的な白熱灯バルブを使用できる。
【００１４】
以上の実施例は本考案の範囲を限定するものではなく、本考案に基づきなしうる細部の修飾或いは改変は、いずれも本考案の請求範囲に属するものとする。
【図面の簡単な説明】
【００１５】
【図１】本考案の実施例の局部立体断面図である。
【図２】本考案の実施例の立体分解図である。
【図３】本考案の実施例の立体組合せ図である。
【図４】本考案の実施例の立体組合せ図である。
【符号の説明】
【００１６】
１１０  ヒートシンク
１１２  放熱フィン
１１３  ノッチ
１１８  チャンバ
１２０  透明レンズ
１２２  ランプハウス
１３０  発光モジュール
１３２  導光材料
１３４  端子
１５０  交流直流変換モジュール
１６０  ケース
１６２  口金
１７０  ケース
１７２  外部端子
【図１】
0003112794.tif 000003
【図２】
0003112794.tif 000004
【図３】
0003112794.tif 000005
【図４】
0003112794.tif 000006